(57)【要約】【課題】  簡素な構造を有し、しかも、滞留水を用いることなく、臭気の伝播、虫や小動物の侵入を確実に防止できる横置き型の排水用トラップを提供する。【解決手段】  底面が平坦なトラップ主体２の相対する部位に排水管を接続するための接続部２ａ，２ｂを有するとともに、上部に開口部３をキャップ部材４によって開閉自在とした横置き型の排水用トラップ１において、トラップ主体２内に、バランスウエイトＢＷを有する弁体５１を開閉させる取付座６を水平に配置する。前記弁体５１と常時当接し、かつ流通孔６ｄを有する弁座６ｃを、下流方向に、取付座６の一端部から底面部まで傾斜させて設け、排水流入部Ｘと排水流出部Ｙとに区画し、取付座６に着脱自在に装着される取付台８に、弁体５１を揺動自在に保持し、この取付台８を、キャップ部材４の取外しによって、取付座６から取外し可能に構成する。【選択図】      図１
2010275763.tif 000002
【特許請求の範囲】
【請求項１】
底面が平坦なトラップ主体の相対する部位に、それぞれ排水管を接続するための接続部を有するとともに、上部に開口部を有し、かつ前記開口部をキャップ部材によって開閉自在とした横置き型の排水用トラップにおいて、
前記排水用トラップを構成するトラップ主体内に、バランスウエイトを有する弁体を横方向に開閉させるための取付座を水平に配置するとともに、
前記弁体と常時当接し、かつ排水用の流通孔を有する弁座を、下流方向に向かって、前記取付座の一端部から底面部まで傾斜させて設け、排水流入部と排水流出部とに区画し、
前記取付座に着脱自在に装着される取付台に、前記弁体を揺動自在に保持し、
前記弁体を保持した取付台を、前記キャップ部材の取外しによって、前記取付座から取外し可能に構成したこと
を特徴とする排水用トラップ。
【請求項２】
前記弁体は、
横断面く字形に屈折した板状体で構成され、下部は舌片状で、最上部には、弁体を常時閉鎖方向に付勢するバランスウエイトを有し、屈折部には、揺動のための支軸を保持する筒状部を有し、前記取付台に支軸を介して揺動自在に設けられること
を特徴とする請求項１に記載の排水用トラップ。
【請求項３】
前記取付座は、
前記トラップ主体の流入側の上部から下流方向に延出させた連結板の先端部に、流出側に向けて水平な取付板を延出させ、かつ前記取付板の先端部からトラップ主体の底面部に達する、排水を流通させるための流通孔を有する弁座を、下流方向に向かって傾斜させて設けたこと
を特徴とする請求項１に記載の排水用トラップ。
【請求項４】
前記水平な取付板は、
その上面部に、前記弁体とで弁部材を構成する取付台に、所要の間隔を存して形成された係合部と係合して、前記取付台を固定するための一対の支持体と、前記取付台の位置合わせと振動防止用の複数の突条体が設けられていること
を特徴とする請求項３に記載の排水用トラップ。
【請求項５】
前記取付台は、
平面台形状のプレートの底部側の両端部に、前記トラップ主体の取付座の上面に配置された一対の支持体とそれぞれ係合する係合部が設けられ、この係合部に面して、前記弁体を揺動自在に保持するための支軸の、両端部を係合保持する断面逆Ｊ字状の軸受け部が形成されているとともに、前記弁体の過剰揺動を抑止するため板状突起が上面部に一体的に立設されていること
を特徴とする請求項２に記載の排水用トラップ。
【請求項６】
前記板状突起は、
前記開口部を閉止するキャップ部材の裏面に当接する高さを有すること
を特徴とする請求項５に記載の排水用トラップ。
【請求項７】
前記トラップ主体および弁体以外の弁部材は、
透明な合成樹脂素材で一体的に構成されていること
を特徴とする請求項１〜６のいずれかに記載の排水用トラップ。
【発明の詳細な説明】
【技術分野】
【０００１】
この発明は、排水管の途中や管末に配置される排水用トラップに関するものである。
より具体的には、天井裏や集合住宅などの床下などに、緩やかな排水勾配を設けて、排水を左右方向に流通させる横置き型の排水用トラップに関するもので、配管技術、さらには建造物の構築技術に属するものである。
【背景技術】
【０００２】
業務用又は家庭用の空調機や冷凍冷蔵庫、厨房機器、電気温水器、さらには、風呂場や台所などから排出される排水の配管経路には、下流側からの臭気の伝播、虫や小動物の侵入を防止するための排水用トラップが設けられている。
かかる排水用トラップは、Ｓ字管やＵ字管に代表される、排水を上下方向に流す配管経路の途中に設けられることが多く、種々の排水用トラップが提案されている。
一方、臭気の伝播、虫や小動物の侵入を防止するための排水用トラップは、建物の構造上から、例えば、実公昭５５−５１９０２号公報（特許文献１）に開示される、床面上に配置される廃液用トラップがある。
【０００３】
この廃液用トラップは、底面を扁平にして床面上に安定載置可能な合成樹脂製容器に、ほぼＵ字型で、廃液の非排出時には、底部に適量の廃液を貯留保持し、かつ、廃液排出時には、常時逆止弁を浮上させて廃液を前記容器内に流出させるトラップと、このトラップからの流出により、容器内に一定量以上の廃液が貯留されると、開弁して廃液を容器外に排出される弁装置とを内装させたものである。
【０００４】
また、特開２００６−１１２１５４号公報（特許文献２）には、受入部にて受け入れた排液を貯留する貯留部と、その貯留部に設定量以上の排液が貯留したときに浮上して連通路を開き排出部への排液の流動を許容する、球状の常閉逆止弁を用いた排水用トラップが開示されている。
【０００５】
さらに、特開２００７−２２４５２９号公報（特許文献３）には、トラップ本体内を仕切板で、上流側と下流側とに２分割するとともに、本体の下部を流入、流出口の内底面よりも下方に凹ませてトラップ部とし、開閉自在の舌片形状の弁体を流出口側に向かって斜め下方に突設させ、前記弁体によって、トラップ部と排出口との連通を遮断する排水用トラップが開示されている。
【先行技術文献】
【特許文献】
【０００６】
【特許文献１】実公昭５５−５１９０２号公報（特許請求の範囲，第１図）
【特許文献２】特開２００６−１１２１５４号公報（特許請求の範囲，図３）
【特許文献３】特開２００７−２２４５２９号公報（特許請求の範囲，図５〜６）
【発明の概要】
【発明が解決しようとする課題】
【０００７】
前記各特許文献に開示された排水用トラップは、従来のＳ字管やＵ字管を使用したものに比較して、開閉自在の球状の常閉逆止弁や揺動自在の舌片形状の弁体を用いることによって、横置き型であっても、確実に臭気の伝播、虫や小動物の侵入を防止するという目的を達成せんとするものであるが、いずれも、従来のＳ字管やＵ字管による排水用トラップと同様に、水封を基礎とするものである。
【０００８】
前記公知の排水用トラップは、いずれも排水の一部を排水用トラップ内に滞留させ、この滞留した水（滞留水）によって、臭気の伝播、虫や小動物の侵入を防止する方法で、従来から幅広く用いられている方法で、きわめて単純な方法であるため、確実な方法であるが、用いられる滞留水自体に問題が発生することがある。
【０００９】
すなわち、トラップ内に排水を滞留させた場合、滞留水によるトラップ内にヌメリが生じ易く、同時に滞留水が腐敗することによる悪臭の発生を惹起させる可能性があるため、頻繁なトラップの清掃が求められる。
また、滞留水中に溶解していた成分の析出による、配管の汚れも引き起こす。
【００１０】
そのため、滞留水が腐敗し易い夏場などは、こまめに排水用トラップ内の汚れをチェックし、清掃を行うとともに、滞留時間が長くなる際には、滞留時間をチェックし、滞留水の交換を行うことが必要になるなど、維持管理が複雑になるといった問題を有している。
また、常時排水を滞留水とするため、水漏れのおそれがある。
さらに、本質的に、排水配管は汚れ易いものであるから、清掃が容易であるものが求められる。
【００１１】
特に、水封方式の横置き型の排水用トラップは、特許文献１の第１図、特許文献２の図３および特許文献３の図１で明らかなように、容器（本体もしくはトラップ）に水封部を形成するため、容器自体の上下方向の高さを必然的に高くせざるを得ないものである。
したがって、排水用トラップを小型化することが難しく、上下方向に高さのない場所への設置が事実上制限されている。
また、その結果、排水用トラップは構造が複雑になり易く、清掃が困難なものが多く、排水用トラップとしては構造が簡単なものが求めら、床下等のように低くて狭い空間部に配置することが可能なコンパクトなものが求められている。
【００１２】
かかる現状に鑑み、この発明は、出願人が開発している、縦型の排水用トラップに用いている、閉鎖方向に付勢するバランスウエイト有する揺動弁体を横型の排水用トラップに適用するとともに、横置き型の排水用トラップとしての構造について鋭意検討した。
【００１３】
その結果、排水用トラップを構成する、バランスウエイト有する揺動自在な弁体を、トラップ主体内に着脱自在に配置可能として、清掃を容易にするとともに、構造を簡単にして、組立ておよび分解を容易にした横置き型の横型排水用トラップを見出し、この発明を完成させた。
【課題を解決するための手段】
【００１４】
すなわち、この発明の請求項１に記載の発明は、
底面が平坦なトラップ主体の相対する部位に、それぞれ排水管を接続するための接続部を有するとともに、上部に開口部を有し、かつ前記開口部をキャップ部材によって開閉自在とした横置き型の排水用トラップにおいて、
前記排水用トラップを構成するトラップ主体内に、バランスウエイトを有する弁体を横方向に開閉させるための取付座を水平に配置するとともに、
前記弁体と常時当接し、かつ排水用の流通孔を有する弁座を、下流方向に向かって、前記取付座の一端部から底面部まで傾斜させて設け、排水流入部と排水流出部とに区画し、
前記取付座に着脱自在に装着される取付台に、前記弁体を揺動自在に保持し、
前記弁体を保持した取付台を、前記キャップ部材の取外しによって、前記取付座から取外し可能に構成したこと
を特徴とする排水用トラップである。
【００１５】
また、この発明の請求項２に記載の発明は、
請求項１に記載の排水用トラップにおいて、
前記弁体は、
横断面く字形に屈折した板状体で構成され、下部は舌片状で、最上部には、弁体を常時閉鎖方向に付勢するバランスウエイトを有し、屈折部には、揺動のための支軸を保持する筒状部を有し、前記取付台に支軸を介して揺動自在に設けられること
を特徴とするものである。
【００１６】
また、この発明の請求項３に記載の発明は、
請求項１に記載の排水用トラップにおいて、
前記取付座は、
前記トラップ主体の流入側の上部から下流方向に延出させた連結板の先端部に、流出側に向けて水平な取付板を延出させ、かつ前記取付板の先端部からトラップ主体の底面部に達する、排水を流通させるための流通孔を有する弁座を、下流方向に向かって傾斜させて設けたこと
を特徴とするものである。
【００１７】
また、この発明の請求項４に記載の発明は、
請求項３に記載の排水用トラップにおいて、
前記水平な取付板は、
その上面部に、前記弁体とで弁部材を構成する取付台に、所要の間隔を存して形成された係合部と係合して、前記取付台を固定するための一対の支持体と、前記取付台の位置合わせと振動防止用の複数の突条体が設けられていること
を特徴とするものである。
【００１８】
また、この発明の請求項５に記載の発明は、
請求項２に記載の排水用トラップにおいて、
前記取付台は、
平面台形状のプレートの底部側の両端部に、前記トラップ主体の取付座の上面に配置された一対の支持体とそれぞれ係合する係合部が設けられ、この係合部に面して、前記弁体を揺動自在に保持するための支軸の、両端部を係合保持する断面逆Ｊ字状の軸受け部が形成されているとともに、前記弁体の過剰揺動を抑止するため板状体が上面部に一体的に立設されていること
を特徴とするものである。
【００１９】
さらに、この発明の請求項６に記載の発明は、
請求項５に記載の排水用トラップにおいて、
前記板状体は、
前記開口部を閉止するキャップ部材の裏面に当接する高さを有すること
を特徴とするものである。
【００２０】
さらに、この発明の請求項７に記載の発明は、
請求項１〜６のいずれかに記載の排水用トラップにおいて、
前記トラップ主体および弁体以外の弁部材は、
透明な合成樹脂素材で一体的に構成されていること
を特徴とするものである。
【発明の効果】
【００２１】
この発明の排水用トラップは、バランスウエイトを有する揺動自在の弁体を用いて、排水流入部と排水流出部を遮断するものであって、横置き型としても、従来のように滞留水を利用することなく、下流側からの臭気の伝播、さらには虫や小動物の侵入を確実に防止するものである。
【００２２】
特に、この発明においては、トラップ主体内に、常時弁部材を構成するバランスウエイトを有する弁体の裏面部と当接し、弁体を一定の位置に保持するための弁座を設けることによって、トラップ主体内を排水流入部と排水流出部とに完全に区画し、トラップ主体内に水封部を設ける必要性がないので、配管経路の中心軸と床面などの取付面との距離を、可及的に短くできるため、上下間が狭い場所にでも設置することができる利点を有している。
【００２３】
その結果、トラップ主体の構成を簡素化させることができ、かつコンパクトにすることができるので、設置場所の範囲が拡大される。
【００２４】
また、排水のトラップに用いられる滞留水の腐敗による臭気の発生や、滞留水に起因する水垢による配管の汚れなどを考慮する必要が全く無いので、配管の管理を容易にし、排水用トラップの清掃、メンテナンス作業を簡素化するものである。
【００２５】
また、この発明の排水用トラップを透明な合成樹脂により形成することによって、配管の汚れの監視や、排水用トラップの清掃、メンテナンス作業をより簡素化することが可能となるものである。
【００２６】
また、弁部材を装着するための取付座を構成する取付板の上面部に、弁体を揺動自在に保持する取付台を固定する一対の支持体と、前記取付台の位置合わせと、振動防止用の複数の突条体を設けることによって、弁部材や弁体の着脱が容易になるとともに、複雑な形状部分が開口部の近傍にのみ存在することになるため、排水用トラップの清掃、メンテナンス作業がより簡素化されるのである。
【００２７】
さらにまた、前記取付板に、取付台を固定するための一対の支持体、位置決めおよびガタツキ防止用の突条体、弁部材の装着用の摘みを兼ねる、弁体の過剰揺動を抑止するための板状体を、キャップ部材の裏面と当接する長さに設定することなどによって、弁部材の位置合わせを容易にし、また、弁部材又は弁体にとって、好ましからざるガタツキを防止することができる。
【図面の簡単な説明】
【００２８】
【図１】この発明にかかる排水用トラップの一例を示す断面図である。
【図２】図１に示される排水用トラップの平面図である。
【図３】図１に示される排水用トラップにおいて、弁部材を取外し状態の平面図である。
【図４】この発明の排水用トラップにおける弁部材の正面図である。
【図５】前記弁部材を構成する取付台の平面図である。
【図６】図５の底面図である。
【図７】図５の正面図である。
【発明を実施するための形態】
【００２９】
以下、この発明にかかる排水用トラップの一例を、添付の図面に基づいて具体的に説明する。
図１は、この発明の排水用トラップ１の断面図である。
この排水用トラップ１は、底面部が平坦なトラップ主体２と、このトラップ主体２の上部に開口された開口部３に着脱自在に装着されるキャップ部材４と、前記トラップ主体２内に着脱自在に装着される弁部材５とから構成されている。
【００３０】
前記トラップ主体２は、透明な合成樹脂素材で構成されるもので、相対する壁面の一方側には、排水を流入させるため排水管の接続部２ａが、他方側には、排水を流出させるための配水管の接続部２ｂが、それぞれ水平方向に延出させて形成されている。
また、その内部には、前記弁部材５を装着するための取付座６が配置されている。
【００３１】
前記取付座６は、特に図１で明らかなように、前記開口部３の下方から中心側に傾斜して延出する連結板６ａと、この連結板６ａの先端縁から、中心部に向かって水平に延出する取付板６ｂと、この取付板６ｂの先端縁から、後述する弁部材５の弁体５１と常時当接する弁座６ｃが、底面に達するように、前記接続部２ｂ側に向かって傾斜させて設けられている。
【００３２】
前記連結板６ａ、取付板６ｂおよび弁座６ｃは、前記接続部２ａから流入する排水が、直接接続部２ｂ側に流出しないようトラップ主体２内に設けられるもので、この取付座６によって、前記トラップ主体２内が、接続部２ａ側の排水流入部Ｘと、接続部２ｂ側の排水流出部Ｙとに区画されている。
【００３３】
前記トラップ主体２内に傾斜配置される弁座６ｃには、空調機などの機器から排出される排水を流出させるためのＵ字状の流通孔６ｄが形成され、この流通孔６ｄを常時閉止する弁部材５の弁体５１が開いた場合のみ、排水が排水流入部Ｘから排水流出部Ｙに流出するよう構成されている。
【００３４】
前記トラップ主体２の上部は、開口されるとともに、その開口縁に沿って上方に起立する筒状部７が一体的に形成され、この筒状部７の開口部に、キャップ部材４が着脱自在に装着されている。
なお、前記キャップ部材４の上面には、キャップ部材４を回動させるための把手４ａが付設され、この把手４ａの頂面には、排水の流れ方向を示す矢印からなる指標４ｂが設けられたものである。
【００３５】
前記筒状部７とキャップ部材４との係合手段には、特段の制限はないが、この発明においては、キャップ部材４の外週部に突起（図示せず）を形成し、前記筒状部７の内周壁に、前記突起を受け入れ、かつ突起と係合する係合孔を形成する、いわゆるバイオネット方式が、着脱が簡単で好ましい。
【００３６】
また、この発明にかかるトラップ主体２は、緩やかな排水勾配で配置された配管経路の床面に対して平行に配置されるため、少なくとも両端の接続部２ａ，２ｂを除く底面部には、トラップ主体２を水平に保持するための脚部材２ｃが設けられたものである。
【００３７】
一方、前記トラップ主体２内に着脱自在に装着される弁部材５は、図１で明らかなように、断面が「く」の字状に屈曲した金属製の弁体５１と、この弁体５１を前記トラップ主体２の取付座６に装着するための取付台８とから構成されるものである。
【００３８】
前記弁体５１は、その下部は、図４に示されるように舌片状で、最上部には、弁体５１を常時閉鎖方向に付勢するバランスウエイトＢＷが設けられ、屈折部には、揺動のための支軸５２を挿通する軸受け５３,５３を有しているものである。
【００３９】
前記弁部材５を構成する取付台８は、図５〜７で明らかなように、平面台形状のプレート８１の、底部側の両端部には、前記トラップ主体２の取付板６ｂの上面に、所要の間隔を存して上方に突出させた支持体６ｅ，６ｅ（図３参照）と係合する係合部８２，８２が設けられている。
また、この係合部８２，８２に面して、前記弁体５１を揺動自在に保持するための支軸５２の、両端部を係合保持する断面が逆Ｊ字状の軸受け部８３，８３が形成されている。
【００４０】
また、前記プレート８１の上面部の中央には、前記キャップ部材４の内底面と当接してプレート８１が上方に持ち上がり、弁体５１が過剰に揺動するのを抑止するとともに、弁部材５を着脱するための摘みとなる板状体８４が一体的に設けられている。
【００４１】
さらに、前記プレート８１の底面側の中央には、前記取付板６ｂの先端部上面に設けられた突条体６ｆと当接し、取付台８が前方（排出口側）に移動することを防止するとともに、支軸５２と当接して、支軸５２の不用意な脱落を防止するための板状ストッパ８５が一体的に設けられている。
【００４２】
なお、図３において、符号６ｇは、前記取付台８をトラップ主体２の取付板６ｃに装着する際の、位置合わせ用の指標となるとともに、位置ズレを防止するための突条体であって、連結板６ａおよび取付板６ｂ上に配置されている。
【００４３】
かかる構成部材からなる排水用トラップ１は、まず、弁体５１に支軸５２を装着させたのち、両端の突出部を、前記取付台８の両端部に形成した軸受け部８３，８３にそれぞれ係合させて、弁体５１を取付台８に対して揺動自在に保持させて、弁部材５を構成する。
【００４４】
ついで、トラップ主体２の上部の開口部３から、取付台８の板状体８４の先端部を摘みながら、弁部材５を、弁体５１が接続部２ｂ側に位置する状態で挿入し、トラップ主体２内に水平に配置された取付板６ｂに突設された支持体６ｅ，６ｅを、取付台８の両端部に設けた係合部８２，８２に挿入させて、取付台８を取付座６上に固定する。
【００４５】
その際、取付台８は、トラップ主体２の突条体６ｆと、取付台８の板状ストッパ８５との係合、および支軸５２と板状ストッパ８５との係合、さらには、取付台８の周縁部と前記突条体６ｇ，６ｇ・・・との係合によって、安定した状態で、前記取付座６上に固定保持される。
【００４６】
同時に、前記弁体５１は、その裏面が、トラップ主体２の取付板６ｂの先端部に傾斜させて連設された弁座６ｃの周縁部と当接し、この弁座６ｃに設けた流通孔６ｄを常時閉止するものである。
【００４７】
かくしてトラップ主体２内に、弁部材５を揺動自在に装着したのち、前記開口部３をキャップ部材４で閉止したのち、緩やかな排水勾配で配置された配管経路の途中に、排水用トラップ１を配置するものである。
その際、前記板状体８４の頂部は、キャップ部材４の裏面と当接し、取付台８の上方への移動が阻止され、安定して取付板６ｂ上に固定される。
【００４８】
配管経路の途中に配置された排水用トラップ１は、図１で明らかなように、排水がない場合、あるいは、弁体５１を揺動させるに必要な排水量がない場合には、弁体５１は、バランスウエイトＢＷの作用によって常に弁座６ｃと当接し、その流通孔６ｄを閉止しているので、排水は接続部２ｂ側には流れない。
【００４９】
空調機などの機器からの排水が、トラップ主体２の排水流入部Ｘに所定量溜り、その水圧あるいは流圧で弁体５１が排水流出部Ｙ側に押圧されると、弁体５１は支軸５２を支点として、図１の鎖線で示すように上方に揺動して、前記流通孔６ｄが開口する。
この流通孔６ｄが開口すると、排水流入部Ｘに流入した、あるいは溜まった排水は、流通孔６ｄを介して排水流出部Ｙ側に流れ、弁体５１に対する水圧が解消されると、弁体５１は、付設したバランスウエイトＢＷの作用によって、再び弁座６ｃと密着して、排水が、排水流出部Ｙから排水流入部Ｘに逆流するのを阻止する。
【００５０】
また、使用途中において、排水用トラップ１内に塵埃や異物等が溜ったり詰まったりした場合には、キャップ部材４を取外し、前記手順と逆の操作を行うことによって、内部を容易に清掃することができ、かつ部品の取替えもきわめて容易に実施することができるものである。
【００５１】
この発明の横置き型の排水用トラップは、基本的に排水を一時的に滞留させるための排水貯留部を有しない構成のため、配管経路の軸線と配置される床面との距離を短くすることができるので、トラップ自体を小型化することができ、かつ構造を簡素化できる。
また、水封部がないので、滞留する排水による汚染がなく、スラッジや砂塵などの堆積も発生しないので、常に配管経路を正常に保持でき、清掃の回数を大幅に減少させることが可能となった。
また、万一、排水流入側に負圧が生じたとしても、排水が逆流するおそれがないなどの効果を奏するものである。
【産業上の利用可能性】
【００５２】
この発明の排水用トラップは、空調機などの機器から排出される排水を、水平方向に排出する配管経路や管末に装着して使用する際、上下方向における空間部に制限がある場合でも、排水用トラップ自体の高さが低く抑えられているので、狭い天井裏や集合住宅の床下などに容易に設置することが可能であるので、業務用又は家庭用の空調機や、冷凍冷蔵庫、厨房機器、電気温水器、さらには、風呂場や台所など排水を必要とする部位に使用することが可能であるため、広い産業分野で利用される可能性を有するものである。
【符号の説明】
【００５３】
１        排水用トラップ
２ａ      排水流入側の接続部
２ｂ      排水流出側の接続部
２ｃ      脚部材
３        上部の開口部
４        キャップ部材
５        弁部材
５１      弁体
５２      支軸
ＢＷ      バランスウエイト
６        取付座
６ａ      連結板
６ｂ      取付板
６ｃ      弁座
６ｄ      流通孔
６ｅ      支持体
６ｆ      突条体
６ｇ      突条体
７        筒状部
８        取付台
８１      プレート
８２      係合部
８３      軸受け部
８４      板状体
Ｘ        排水流入部
Ｙ        排水流出部
【図１】
2010275763.tif 000003
【図２】
2010275763.tif 000004
【図３】
2010275763.tif 000005
【図４】
2010275763.tif 000006
【図５】
2010275763.tif 000007
【図６】
2010275763.tif 000008
【図７】
2010275763.tif 000009